(57)【要約】【課題】口腔内に設置固定されることによる長時間に亘る苦痛を患者に与えることがなく、歯牙を切削する過程、補綴物を切削により作成する過程やインプラント植立においても使用でき、任意の角度で平行性を維持することができると共にハンドピースの操作性が著しく高い歯科用平行切削補助装置を提供する。【解決手段】  歯又は仮床を固定する固定部１と第１アーム２と第２アーム４と平行上下動機構６が連結されており、ハンドピース装着用貫通孔７１にハンドピースが装着される。ハンドピースは、ハンドピース装着用貫通孔７１に切削具を通して固定される。また、着脱フック１３を操作することで歯または仮床に固定部１を固定したり、取り外したりする。ハンドピースの使用時は、基軸１２の回りにアームを回転させてハンドピースを移動させ、平行上下動機構６の働きにより、ハンドピースを上下方向にも移動させることができる。【選択図】        図１
2006288903.tif 000002
【特許請求の範囲】
【請求項１】
歯又は仮床を固定する基台とこの基台に立設された基軸を有する固定部と、
前記基軸に回転自在に連結される第１アームと、
前記第１アームと第１回転軸を介して回転自在に連結された第1支持部材とハンドピースを固定するためのハンドピース装着用貫通孔が形成された第２支持部材とが平行に配置された複数の連結板によって連結軸を介して連結されている平行上下動機構とを備え、
前記複数の連結板は平行状態を保ちながら前記連結軸を中心として回転可能に構成されているとともに前記基軸の軸芯と前記第１回転軸の軸芯と前記ハンドピース装着用貫通孔の中心軸とが平行状態を構成していることを特徴とする歯科用平行切削補助装置。
【請求項２】
歯又は仮床を固定する基台とこの基台に立設された基軸を有する固定部と、
前記基軸に回転自在に連結される第１アームと、
前記第１アームと第１回転軸を介して回転自在に連結された第２アームと、  
前記第２アームと第２回転軸を介して回転自在に連結された第1支持部材とハンドピースを固定するためのハンドピース装着用貫通孔が形成された第２支持部材とが平行に配置された複数の連結板によって連結軸を介して連結されている平行上下動機構とを備え、
前記複数の連結板は平行状態を保ちながら前記連結軸を中心として回転可能に構成されているとともに前記基軸の軸芯と前記第１回転軸の軸芯と前記ハンドピース装着用貫通孔の中心軸とが平行状態を構成していることを特徴とする歯科用平行切削補助装置。
【請求項３】
前記ハンドピース装着用貫通孔はハンドピースに取り付ける切削具の太さに合うように形成され、切削具を該ハンドピース装着用貫通孔に装着することでハンドピースを前記第２支持部材に固定することを特徴とする請求項１〜請求項２のいずれか１項に記載の歯科用平行切削補助装置。
【請求項４】
前記基軸の基台側は使用するハンドピースの切削具の太さに応じた第１の径に、前記基軸の先端部は使用されるハンドピースの切削具の太さに応じた第２の径に２段で形成されるとともに、前記基軸に連結される前記第１アームに穿孔された嵌合孔は第１の径に、前記ハンドピース装着用貫通孔は第２の径に形成され、
前記基軸の第２の径に前記ハンドピース装着用貫通孔を挿入し、前記第１アームの嵌合孔には第１の径に応じた切削具を装着することにより、リバーシブルに使用できることを特徴とする請求項３記載の歯科用平行切削補助装置。
【請求項５】
前記固定部には、歯又は仮床の突起部を挟持するためのクラッチ板を設け、前記クラッチ板に接続された着脱フックを動作させることで該クラッチ板の締付と緩和を行うことを特徴とする請求項１〜請求項３のいずれか１項に記載の歯科用平行切削補助装置。
【請求項６】
前記クラッチ板側とこのクラッチ板と対面する基台の壁側には、歯牙または仮床に密着させるためのスペーサを着脱できる着脱機構が設けられていることを特徴とする請求項４記載の歯科用平行切削補助装置。
【発明の詳細な説明】
【技術分野】
【０００１】
本発明は、患者の口腔内に装着する歯科用補綴物を固定できるように歯牙、既存補綴物を切削する過程や歯科用インプラントを植立する過程において主に使用される歯科用平行切削補助装置に関する。
【背景技術】
【０００２】
歯科用補綴物を装着するための支台歯やピン植立用窩洞や誘導面の形成や、期待する方向にインプラントを植立することは、補綴物による歯科修復を行う場合に必要不可欠な要素であり 、歯科用ハンドピース ( 以下、単にハンドピースと称することがある ) に装着された切削具を用いて歯牙の切削加工を行う治療行為の中でも高度な技術を要求されるものである。
【０００３】
少数歯欠損の場合にその欠損歯を連結固定架工義歯で補綴する際に、その架工義歯を複数の歯牙で支える役割を持つ支台歯は、歯牙または歯科用インプラント(以下、インプラントと称す )であり、固定性架工義歯はこの支台歯に連結固定装置で補綴されることにより、歯列としての機能を果たすのである。そしてこれが臼歯部の場合には、咀嚼時に大きな咬合圧が加わるため、より一層の加工 精度、特に平行関係に注意が払われる必要がある。また、前歯部の有髄歯の場合には、補綴物を保持させるのにピンを用いた術式で行うことがある。これは、有髄歯をあまり損ねることがないからであるが、この場合でも平行性の確保が重要な意味を持っている。
【０００４】
また補綴物がクラスプを備えた可徹性局部床義歯である場合には、歯列における歯牙の欠損部位 ( 以下、顎堤と称することがある ) に隣接する残存歯が健全歯である時に鈎歯への側方力を減少させるなど義歯の着脱が容易に行えるように、誘導面として補綴物の両隣となる残存歯の欠損歯側隣接面の顕著な凸面 ( 膨豊隆 ) を当該局部床義歯の着脱方向に一致する平行な面に形成することがある。このように、何れの場合においても、複数の歯を連結するために支台歯となる歯牙や顎提に隣接する残存歯に対する高い加工精度が要求される。
【０００５】
また、精密工作や精密鋳造等の技術力の向上から、支台歯に固着される内冠とこの内冠に適合される外冠とに分離可能に構成された二重金属冠も多用されるようになってきている。このテレスコープクラウンと呼称される二重金属冠で構成された可撤性の局部用補綴物の維持力は、外冠と内冠の両者の緊密な適合によって実現される。従って、ここでも複数の内冠の平行性を確保しながらのミリング研磨が、その着脱と維持を可能にする観点から重要な意味を持つ。
【０００６】
近年、インプラントの材料や技術の発展に伴い汎用されているが、個々の患者の顎堤や歯槽骨の形態、神経や血管の走行により植立方向を考慮しなければならない。インプラントを期待する方向に正確に植立する事は必須不可欠で手術の成否に関係するため、個々のインプラントを期待する方向に正確にドリリングする必要がある。
【０００７】
二本以上のインプラントの植立においても、植立した全てのインプラントが完璧に平行であることは植立した時点で、そのインプラントメーカーの既成のヘッドとキャップを使用することにより全ての支台歯形成は理想的に形成された状態である。このことは、前述のテレスコープクラウンの内冠と外冠が同時に作成された事になり直ちに、固定性架工義歯、可徹性架工義歯、半固定性架工義歯、半固定性義歯、可徹性義歯への選択が広がりそれに掛かる時間と経費が節約され技術的観点から重要な意味を持つ。
【０００８】
そこで、支台歯等の切削において被切削歯牙の平行状態等を確認するための種々の器具が知られている。例えば、口腔外部の作業等で使用される器具としては、テレスコープ クラウンやパラレロメーターがあり、その簡便な装置として主としてクラスプ義歯の平行測定を目的としたクラスプサーベヤーがある。これらは、歯列及び粘膜面の複製である石膏模型における切削や穿孔などの加工やワックスアップなどの作業を行い、そして作成する補綴物の着脱方向を決めたりする場合に用いられるに過ぎない。
【０００９】
口腔内で形成面等の平行状態を測定するためのパラレリングディバイスと称されている平行測定器があるが、この平行測定器は歯牙の形成面等の平行状態を測定するためのものであるから、被切削歯牙を切削する際に使用する場合には、研削作業と平行状態の確認、作業とを交互に行わなければならないため作業効率が大変悪いという欠点があった。
【００１０】
このような欠点に対しては、切削作業と平行状態の確認作業とを交互に行う必要がなく 、平行関係を常に保った状態で切削作業が可能な歯牙切削装置が知られており、例えば口腔内の上顎歯牙と下顎歯牙とで立設支持させる基軸と、この基軸に上下動自在に装着した基部アームと、この基部アームにリンク機構を介して水平方向に回動自在に連結した先端アームと、この先端アームに設けられ、エアーの噴射圧で、タービンバーを駆動するタービンを水平方向に回動自在に取付ける支持機構とで構成されている歯牙研削装置が知られている ( 例えば、特許文献 1 参照)。
【００１１】
また基軸を口腔内の上顎歯牙と下顎歯牙とで直接立設支持させないようにした歯牙切削用平行切削用補助具が提案されている ( 例えば、特許文献 2 参照)。
【００１２】
【特許文献１】実開昭 ６１−１９１０１４号公報
【特許文献２】特開平 １１−３１８９４０号公報
【発明の開示】
【発明が解決しようとする課題】
【００１３】
しかし、上記従来の歯牙研削装置では口腔内に配備される基軸とこの基軸に装着された基部アームとが設けられているため、基部アームに取り付けられたハンドピースの切削具と被切削歯牙との角度が常に一定に維持され、平行関係が常に保たれた状態で切削作業ができるのであるが、基軸を口腔内の上顎歯牙と下顎歯牙とで立設支持させる必要があり、この基軸を被切削歯牙に対して所望の角度で正確に立設支持させるのが困難であり、しかもリンク機構の形状や動きにも制限を受け易いので術者にとって治療行為を行い難いという欠点があった。更に基軸は上顎歯牙と下顎歯牙とに立設されるため、患者は口を開けたまま長時間に亘る治療に耐えなければならない。
【００１４】
また、この歯牙切削装置では、基軸部においては、固定が出来ても、装置が大きく、正確さ、着脱の簡略さ、操作性に乏しく再現性がない。アーム部においては装置が複雑で機動性に乏しい。ハンドピース連結部はハンドピースヘッド部を挟んでアーム部を固定するもので、全ての切削機具メーカーに対応されていない上に固定装置が大きく複雑なため術部の視野が妨げられる。このような一連の操作の煩雑さと機具の複雑さは患者にも術者にも大きなストレスと不安をもたらしている等の問題があった。
【００１５】
一方、前記従来の歯科用平行切削用補助具では、口腔内に立設される基軸の代わりに軸又は軸受が配備されている横断面がコ字状の装着部を口腔内に装着することによって使用されるが、このコ字状の装着部の内面に充填した一塊の経時硬化性の材料を介して口腔内に装着されるため、一度装着すると再現性がなく、軸又は軸受の中心線を被切削歯牙に対して所望の角度となるように正確に設置固定させるのが困難であり、しかもリンク機構の形状や動きにも制限を受け易いので術者にとって治療行為を行い難いという欠点があった。
【００１６】
本発明は、上述した課題を解決するために創案されたものであり、口腔内に設置固定されることによる長時間に亘る苦痛を患者に与えることがなく、患者の口腔内に装着する補綴物を固定するように歯牙を切削する過程のみならず、歯科用補綴物を切削により作成する過程やインプラント植立においても使用することができ、任意の角度で平行性を維持することができると共にハンドピースの 操作性が著しく高い歯科用平行切削補助装置を提供することを目的とする。
【課題を解決するための手段】
【００１７】
上記目的を達成するために、請求項１記載の発明は、歯又は仮床を固定する基台とこの基台に立設された基軸を有する固定部と、前記基軸に回転自在に連結される第１アームと、  前記第１アームと第１回転軸を介して回転自在に連結された第1支持部材とハンドピースを固定するためのハンドピース装着用貫通孔が形成された第２支持部材とが平行に配置された複数の連結板によって連結軸を介して連結されている平行上下動機構とを備え、前記複数の連結板は平行状態を保ちながら前記連結軸を中心として回転可能に構成されているとともに前記基軸の軸芯と前記第１回転軸の軸芯と前記ハンドピース装着用貫通孔の中心軸とが平行状態を構成していることを特徴とする歯科用平行切削補助装置である。
【００１８】
また、請求項２記載の発明は、歯又は仮床を固定する基台とこの基台に立設された基軸を有する固定部と、前記基軸に回転自在に連結される第１アームと、前記第１アームと第１回転軸を介して回転自在に連結された第２アームと、前記第２アームと第２回転軸を介して回転自在に連結された第1支持部材とハンドピースを固定するためのハンドピース装着用貫通孔が形成された第２支持部材とが平行に配置された複数の連結板によって連結軸を介して連結されている平行上下動機構とを備え、前記複数の連結板は平行状態を保ちながら前記連結軸を中心として回転可能に構成されているとともに前記基軸の軸芯と前記第１回転軸の軸芯と前記ハンドピース装着用貫通孔の中心軸とが平行状態を構成していることを特徴とする歯科用平行切削補助装置である。
【００１９】
また、請求項３記載の発明は、前記ハンドピース装着用貫通孔はハンドピースに取り付ける切削具の太さに合うように形成され、切削具を該ハンドピース装着用貫通孔に装着することでハンドピースを前記第２支持部材に固定することを特徴とする請求項１〜請求項２のいずれか１項に記載の歯科用平行切削補助装置。
【００２０】
また、請求項４記載の発明は、前記基軸の基台側は使用するハンドピースの切削具の太さに応じた第１の径に、前記基軸の先端部は使用されるハンドピースの切削具の太さに応じた第２の径に２段で形成されるとともに、前記基軸に連結される前記第１アームに穿孔された嵌合孔は第１の径に、前記ハンドピース装着用貫通孔は第２の径に形成され、前記基軸の第２の径に前記ハンドピース装着用貫通孔を挿入し、前記第１アームの嵌合孔には第１の径に応じた切削具を装着することにより、リバーシブルに使用できることを特徴とする請求項１〜請求項２のいずれか１項に記載の歯科用平行切削補助装置である。
【００２１】
また、請求項５記載の発明は、前記固定部には、歯又は仮床の突起部を挟持するためのクラッチ板を設け、前記クラッチ板に接続された着脱フックを動作させることで該クラッチ板の締付と緩和を行うことを特徴とする請求項１〜請求項３のいずれか１項に記載の歯科用平行切削補助装置である。
【００２２】
また、請求項６記載の発明は、前記クラッチ板側とこのクラッチ板と対面する基台の壁側には、歯牙または仮床に密着させるためのスペーサを着脱できる着脱機構が設けられていることを特徴とする請求項４記載の歯科用平行切削補助装置である。
【発明の効果】
【００２３】
本発明に係る歯科用平行切削補助装置は、平行四辺形状を構成し、平行状態を保持しつつ上下回転移動する平行上下動機構をアームに回転自在に連結することで、ハンドピースの切削具の方向（施術方向）を維持しながら平行移動できるので、自在に三次元の動作を行うことができる。
【００２４】
また、ハンドピース固定部とハンドピースとの連結を従来のハンドピース本体でなく歯科界共通の歯科用切削具のバーやポイントに求める事で、低速エンジン、高速タービン、注水下、非注水下の別なくいかなるメーカーのハンドピースでも使用できる。
【００２５】
また、固定部の基軸の径は切削具の異なる太さに合わせて二段に形成してあり、連結されたアーム部分の一端と他端には前記２段に構成された基軸の各径に適合する穴が開いているので反転してリバーシブルに装着することができる。
【００２６】
スタディーモデルで作成準備された固定部は直ちに患者の口腔内の歯牙または仮床にワンタッチのフック操作で固定でき、またワンタッチで取り外しが可能である。またいつも同じ条件で再装着ができるので患者も施術者も無理なく安心して使用できる。
【発明を実施するための最良の形態】
【００２７】
以下、図面を参照して本発明の一実施形態を説明する。図１は本発明による歯科用平行切削補助装置の構成を示す。歯科用平行切削補助装置の各部は、強化合成樹脂やアルミ合金、チタン等の軽金属、またはステンレス鋼等を用いて構成することができる。
【００２８】
固定部１は、患者の口腔内の歯牙または仮床に固定するものであり、後述するように、固定部１に設けられた着脱フック１３を操作することによって、装置全体を患者の口腔内の歯牙または仮床に固定したり、取り外したりすることができる。
【００２９】
固定部１の基台１１に形成された基軸１２に第１アーム２が回転自在に連結されており、第１アーム２の一端には基軸１２と嵌合し、かつ回転できるように、貫通孔が形成されている。基軸１２にはストッパー７が嵌め込まれており、第１アーム２が基軸１２から抜け外れてしまわないように安全のために設けられている。第１アームを基軸１２から取り外す場合には、まず、ストッパー７を取り外してから、第１アーム２を取り外す。
【００３０】
第１アーム２の他端は、第２アーム４と第１回転軸３を介して回転自在に連結されている。第１回転軸３は、第１アーム２と第２アーム４に各々貫通孔を穿孔してこれらの貫通孔に嵌め込む構成にするか、第１アーム２上に立設するようにして第２アーム４に形成された貫通孔に嵌合するようにしても良く、また、第２アーム４側に立設するようにして第１アーム２に形成された貫通孔に嵌合するようしても良い。また、上記基軸１２の軸芯と第１回転軸３の軸芯とは、平行になるように構成されている。
【００３１】
第２アーム４は、さらに平行上下動機構６の支持部材６１と第２回転軸５を介して回転自在に連結されている。第２回転軸５についても前記同様、第２アーム４と支持部材６１に各々貫通孔を穿孔してこれらの貫通孔に嵌め込む構成にするか、第２アーム４上に立設するようにして支持部材６１に形成された貫通孔に嵌合するようにしても良く、また、支持部材６１側に立設するようにして第２アーム４に形成された貫通孔に嵌合するようしても良い。上記第１回転軸３の軸芯と第２回転軸３の軸芯とは、平行になるように構成されている。
【００３２】
平行上下動機構６は、第１支持部材としての支持部材６１とこの支持部材に対面する第２支持部材としての支持部材７０と、平行に配置された２枚の連結板６３、６４とが、４つの連結軸６５、６６、６７、６８を介して連結され、連結軸６５、６６、６７、６８を頂点として平行四辺形状を構成している。支持部材６１が支持部材７０と向き合っている平行四辺形状の一辺を構成する部分には、溝６２が形成されており、他方、支持部材７０が支持部材６１と向き合っている平行四辺形状の一辺を構成する部分には、溝６９が形成されている。
【００３３】
この溝６２、６９に同じ長さの連結板６３、６４を通して、支持部材６１、７０および連結板６３、６４に穿孔された貫通孔に連結軸６５、６６、６７、６８を通して結合し、連結板６３、６４は連結軸６５、６６、６７、６８を中心として自由に回転できるようになっている。
【００３４】
連結板６３、６４は平行に配置されているために、連結軸６５、６６、６７、６８を支点として回転した場合には、支持部材６１と支持部材７０とが常に一定の状態を保ちながら平行に上下に回転移動することになる。また、第２回転軸５の周りに支持部材６１が回転することにより、平行上下動機構６全体も旋回することができる。したがって、支持部材６１と支持部材７０は、平行を確保したままそれぞれが上下方向に回転移動ができるとともにその姿勢を保ったまま左右方向・水平方向に３６０度旋回できる。
【００３５】
なお、第１回転軸３により連結された第１アーム２と第２アーム４及び第２回転軸３により連結された第２アーム４と平行上下動機構６は、互いに通常の動作では離脱しないように構成されているが、これを相互に着脱可能とする構造を付加して、連結するアームを減少させたり増やしたりしてアーム部全体の長さの変更を行うことや、アームの種類の変更を行うこと等を容易にできるようにしても良い。
【００３６】
支持部材７０には、ハンドピース装着用貫通孔７１が設けられている。このハンドピース装着用貫通孔７１は、ハンドピースに取り付けられる切削バーが通る程度の大きさの径になっている。すなわち、図３に示すようなハンドピースヘッド８２に取り付けられて切削、研磨、修正等の作業に用いられる切削具８４の太さに合わせてハンドピース装着用貫通孔７１が穿孔される。また、第２回転軸５の軸芯とハンドピース装着用貫通孔７１の中心軸とは、平行になるように構成されている。
【００３７】
上記のように、基軸１２の軸芯と第１回転軸３の軸芯と第２回転軸５の軸芯とハンドピース装着用貫通孔７１の中心軸とが全て常に平行状態を維持するように構成されているので、歯科用サーベヤーで準備された基台１１に立設された基軸１２を第１アーム２の貫通孔に貫入することで、支持部材７０を３６０度旋回してハンドピース８１の切削具８４を補綴物の装着や固定を施術する方向に、またインプラントの植立を施術する方向を保ちながら所定位置に移動でき、平行上下動機構６により切削具（切削バー）の角度（施術する方向）を一定に保ちながら上下方向に移動させ、歯牙又は仮床を切削、研磨、修正することができる。また、傾斜した平行四辺形をなす平行上下動機構６の支持部材７０は上方へは多く、下方へは少なく回転移動する構造となっている。
【００３８】
ところで、上述の各アーム部分の大きさとしては、例えば、第１アーム２の長さ２０〜２５mm、第１アーム２の幅４〜５mm、第２アーム４の長さ１５〜２０mm、第２アーム４の幅４〜５mm、平行上下動機構６の長さ４０〜４５mm、平行上下動機構６の幅４〜５mm、平行上下動機構６の高さ６〜１０mmとして構成することができる。前記のように、第１アーム２、第２アーム４、平行上下動機構６の幅はほぼ同一になるように構成することができ、各部の厚みは２〜５mmとすることができる。
【００３９】
また、本実施例では、第１アーム２の後に第２アーム４を連結した後に平行上下動機構６を連結するようにして、ハンドピースの操作範囲を広げるとともに、操作性も良いものとしているが、第２アーム４を省き、第１アーム２と平行上下動機構６とを第１回転軸を介して連結するようにしても良い。この場合でも、ハンドピースを操作する場合に、上記同様、切削具（切削バー）の角度を一定に保ちながら上下方向及び左右方向・水平方向に自在に移動させることができる。
【００４０】
図２に固定部１の詳細な構成を示す。固定部１には、コの字状に形成された基台１１の上に基軸１２が配備されている。基軸１２には、第２の径として先端部側の小径軸１２１が、第１の径として基台側の大径軸１２２が形成されており、２段構造となっている。大径軸１２２の軸径はエンジン用切削バー又はポイントと同径、小径軸１２１の軸径をタービン用切削バー又はポイントと同径に形成されている。
【００４１】
ハンドピースの種類には、タービンを用いて切削具（切削バー）を高速で回転させるタービンハンドピースと、マイクロモータ等の電気エンジンを用いて切削具（切削バー）を低速で回転させるエンジンハンドピースがあり、各切削具の太さは異なる。例えば、タービンハンドピースの切削バーは直径1.6mm、エンジンハンドピースの切削バーは直径2.35mmのものが使用される。通常、タービンハンドピースは多量切削又は概略的切削を効率良く行うために使用され、エンジンハンドピースは修正・研磨用に使用される。ところで、ミリング研磨のような研磨作業や修正作業についても物理的には歯牙や仮床を切削していることに変わりはないので、このような作業を行う研磨用バーや修正用バーも本発明で記載した切削具（切削バー）に含まれるものである。
【００４２】
図１に示す第１アームに開けられた基軸１２に嵌合する貫通孔は、エンジン用切削バーと同径、すなわち大径軸１２２と同径に形成されており、ハンドピース装着用貫通孔７１はタービン用切削バーと同径、すなわち小径軸１２１と同径に形成されている。そして、タービンハンドピースを用いたい場合には、固定部１から第１アーム２以降の連結された部分を取り外し、逆にしてハンドピース装着用貫通孔７１を基軸１２の小径軸１２１に嵌合し、第１アーム２の貫通孔にタービンハンドピースを装着してリバーシブルに使用することでいかなる切削具にも対応できる。
【００４３】
固定スペース１５に歯または仮床を挿入して挟持し、固定させるためにクラッチ板１４が配備されている。また、スペーサ１６１とスペーサ１６２は、基軸１２を施術する方向に向けて固定部１の固定をより確かにするために配置されるもので、舌側レジンブロックからなるスペーサ１６２と頬側レジンブロックからなるスペーサ１６１により構成される。
【００４４】
頬、舌側レジンブロックは患者もしくは各部位ごとに個々に作成されるので基台１１の固定をより確実なものにする。このレジンブロックは、患者の口腔内に装着する歯科用補綴物を固定するように歯牙を切削または顎堤をドリリングする過程において、施術前に得た患者のスタディーモデル上でサーベヤーを用いて施術する切削方向またはドリリング方向を計測して得た情報を基に経時重合硬化レジンにより作成する。
【００４５】
頬側レジンブロックとしてのスペーサ１６１は着脱ネジ１７１により、舌側レジンブロックとしてのスペーサ１６２は着脱ネジ１７２により着脱ができ、繰り返し反復使用が可能で再装着することで何時でも再現することができる。
【００４６】
頬側に位置する着脱フック１３はレバー形状に形成されており、この着脱フック１３を図２に示す操作方向に回転することでクラッチ板１４とともにスペーサ１６１を移動させて固定スペース１５に位置する歯または仮床を締め付けたり、緩めたりすることができ、固定部１全体をワンタッチで瞬時に着脱できるようにしている。
【００４７】
図２の固定部１は、例えば、基台１１の高さ約１５ｍｍ、横幅約２０ｍｍ、奥行約２０ｍｍ、厚み２〜５mm、基軸１２の小径軸１２１の長さ約５ｍｍ、直径１５ｍｍ、大径軸１２２の長さ約５ｍｍ、直径２３．５ｍｍ等の大きさに構成することができる。
【００４８】
図３は図１における歯科用平行切削補助装置の使用状態の一例を示す。サーベヤーを用いて計測された角度を正確に口腔内に再現するように基軸１２の方向を一致させて、固定部１の固定スペース１５に歯牙（又は仮床）８６の一部を挟み、着脱フック１３を回転操作させて固定部１を固定させる。基軸１２の軸芯と第１回転軸３の軸芯と第２回転軸５の軸芯とハンドピース装着用貫通孔７１の中心軸とは平行なので、ハンドピース８１の切削具８４が施術しようとする方向に向く。
【００４９】
ハンドピース装着用貫通孔７１の上にハンドピース８１のハンドピースヘッド８２を載せ、ストッパー８５が取り付けられた切削具８４をハンドピース装着用貫通孔７１に支持部材７０の下から通してハンドピースヘッド８２に装着する。一般的に、ハンドピースヘッド８２と切削具８４との着脱は、メタルチャック等によるチャック方式が用いられている。図３に示すように、ストッパー８５は小球状の樹脂等からなるもので、切削具８４の上端に配備固定されているが、切削具８４に着脱も可能な構成となっている。
【００５０】
ストッパー８５の太さ（径）は、ハンドピース装着用貫通孔７１の径よりも大きく形成されており、ハンドピースヘッド８２とストッパー８５とで支持部材７０を挟み込む形となるので、ハンドピース８１が支持部材７０に固定される。なお、ハンドピース８１の支持部材７０への固定は、固定部１を歯牙又は仮床に固定する前に行っても良い。
【００５１】
施術者は、ハンドピース８１の把持部８３を持って、作業部位まで切削具８４を移動させ、切削具８４に回転を与えて多量切削あるいは概略的切削の作業を行う。ハンドピース８１の移動は、最初に切削具８４が向いていた施術方向と常に平行を保った状態で行われるので、正確な施術を行うことができる。
【００５２】
次に、修正、研磨等を行いたい場合は、ハンドピースヘッド８２から切削具８４を取り外し、ハンドピース８１を支持部材７０から取り除き、基軸１２に嵌められているストッパー７を取り外す。そして、第１アームから支持部材７０までの連結されたアーム部分を一体として基軸１２から離脱させ、支持部材７０のハンドピース装着用貫通孔７１を基軸１２の小径軸１２１に通してストッパー７を基軸１２に装着する。
【００５３】
一方、第１アーム２に開けられた貫通孔（基軸１２に嵌合していた貫通孔）の方には、ハンドピースヘッド８２を載置し、ストッパー８５が取り付けられた修正、研磨用の切削具８４をハンドピース装着用貫通孔７１に通してハンドピースヘッド８２に装着する。このようにハンドピース８１が支持部材７０に固定された後、作業を行う。固定部１は、歯牙又は仮床に固定したままで切削具８４の交換が行うことができ、ハンドピース８１の支持部材７０への固定にはガタツキもないので、正確な施術を行うことができる。
【００５４】
歯科用平行切削補助装置へのハンドピースの固定を歯科界共通の歯科用切削バーやポイントに求めるとともに、支持部材７０においてハンドピースヘッド８２を載置固定する部分を最小限の面積としているので、タービン用切削バーで削合や研磨する場合にハンドピースヘッド８２からの注水による冷却を妨げることがなく、エンジン用切削バーで歯牙や補綴物の削合、研磨、インプラント植立術の骨ドリリング時にもハンドピースヘッド８２の噴水孔の注水による冷却を妨げることがない。いずれの場合でも切削物、被切削物を切削熱から守るので安心して使用できる。
【００５５】
このように、歯科用平行切削補助装置のハンドピース固定部とハンドピースとの連結を従来のハンドピースヘッド全体を固定連結する構造でなく、歯科界共通の歯科用切削バーやポイントにおいて固定連結するようにしているので、ハンドピース固定部（支持部材７０）は簡単で小さい構造とすることができ、視野が広く、低速エンジン、高速タービン、注水下、非注水下の別なくいかなるハンドピースでも使用できる。
【００５６】
以上のように、固定部１の基軸１２を中心として円形ドーム状に口腔内の空間をハンドピースを移動させることができ、広範囲の作業エリアを確保することができる。また、作業エリア内に施術しようとする部位が含まれないような場合や施術方向が異なる場合には、固定部１を他の歯牙または仮床に移動して固定することで解決できる。
【００５７】
さらに、患者が治療台に座れば直ちに作業に着手でき、作業をすぐに中断することもでき、歯牙や仮床の全部位での着脱と再現が可能なため、治療や施術を正確に行うことができる。
【図面の簡単な説明】
【００５８】
【図１】本発明に係る歯科用平行切削補助装置の斜視図である。
【図２】図１の固定部の詳細な構成を示す図である。
【図３】歯科用平行切削補助装置の使用状態の一例を示す図である。
【符号の説明】
【００５９】
１    固定部
２     第１アーム
３    第１回転軸
４    第２アーム
５    第２回転軸
６    平行上下動機構
７    ストッパー
１１  基台
１２  基軸
１３  着脱フック
６１  支持部材
６２  溝
６３  連結板
６４  連結板
６５  連結軸
６６  連結軸
６７  連結軸
６８  連結軸
７０  支持部材
７１  ハンドピース装着用貫通孔
【図１】
2006288903.tif 000003
【図２】
2006288903.tif 000004
【図３】
2006288903.tif 000005